(57)【要約】【課題】  ハードディスクドライブなどの記憶装置上のデータだけを選択的に削除することができ、復元ソフトウエアなどでデータを復旧させることが不可能な機密性に優れた記憶装置のデータ削除方法、並びに削除装置を提供する。【解決手段】  コンピュータにおける記憶装置のデータ削除方法であって、被削除対象である実体データが記憶されている記憶装置１８をデータ削除用コンピュータ１に接続することにより、該データ削除用コンピュータ１によって前記記憶装置１８を外部記憶装置として認識させた上で、該記憶装置１８をフォーマット処理した後に削除用データを上書きすることにより、実体データ並びにオペレーティングシステムを削除する。【選択図】        図１
2006172337.tif 000002
【特許請求の範囲】
【請求項１】
コンピュータにおける記憶装置のデータ削除方法であって、被削除対象である実体データが記憶されている記憶装置をデータ削除用コンピュータに接続することにより、該データ削除用コンピュータによって前記記憶装置を外部記憶装置として認識させた上で、該記憶装置をフォーマット処理した後に削除用データを上書きすることにより、実体データ並びにオペレーティングシステムを削除することを特徴とする記憶装置のデータ削除方法。
【請求項２】
コンピュータにおける記憶装置のデータ削除方法であって、被削除対象である実体データが記憶されている記憶装置をデータ削除用コンピュータに接続することにより、該データ削除用コンピュータによって前記記憶装置を外部記憶装置として認識させ、該記憶装置におけるオペレーティングシステムが記憶されている領域以外の領域を削除処理した後に、削除用データを上書きすることにより、オペレーティングシステム以外のデータを削除することを特徴とする記憶装置のデータ削除方法。
【請求項３】
コンピュータにおける記憶装置のデータ削除装置であって、
被削除対象である記憶装置が接続される被削除対象ドライブ接続手段と、
前記被削除対象の記憶装置上の実体データを削除するプログラムが格納された削除プログラム格納手段と、
前記被削除対象の記憶装置の実体データの記憶領域に上書きされる削除用データが格納された削除用データ格納手段と、
前記被削除対象ドライブ接続手段に接続された被削除対象の記憶装置を外部記憶装置として認識するとともに、前記削除プログラム格納手段並びに削除用データ格納手段と協働して、該記憶装置をフォーマット処理した後に、削除用データを上書きする中央処理装置とを具備したことを特徴とする記憶装置のデータ削除装置。
【請求項４】
前記記憶装置は、ハードディスクドライブであることを特徴とする請求項１〜３に記載の記憶装置のデータ削除方法、並びにデータ削除装置。
【発明の詳細な説明】
【技術分野】
【０００１】
本発明は、記憶装置のデータ削除方法、並びに記憶装置のデータ削除装置に係わり、特にパーソナルコンピュータ等のデータ記憶装置であるハードディスクドライブ等の記憶装置上のデータを削除するのに好適なデータ削除方法、並びに削除装置に関する。
【背景技術】
【０００２】
ＩＴインフラの整備に伴ってインターネットを通じた電子商取引などが盛んになり、クレジットカード番号や、ＩＤ、パスワード、銀行の口座番号等の重要な個人情報のやり取りがパソコンを通じて行われるようになっている。このような個人情報はパソコン内のハードディスクドライブなどの記憶装置に記憶され、パソコンを廃棄する際や、買い換えなどに伴う売却時にはハードディスクドライブに記憶された機密データの削除が不可欠な作業となっている。そのため、ハードディスクドライブをパソコンから取り出して破断処理するなどの方法が採られている。
【０００３】
或いは、データの削除処理をソフトウエアによって行い、ハードディスクを再利用する手法も提案されている。このような削除処理を行う先行技術として、特開2004-126909号公報記載のファイル管理装置及びファイル削除方法がある。同公報記載の発明は、データファイルの機密性の度合いに応じて、データファイルの実体データを残したまま格納位置を示す管理情報を削除するか、或いは実体データを所定のコードで上書きした後に、管理情報を削除するようになっている。これによれば、データの削除処理を高速化することができるとともに、データの削除処理の操作が容易となる利点があるとされている。
【特許文献１】特開2004-126909号公報
【発明の開示】
【発明が解決しようとする課題】
【０００４】
しかしながら、前述した特開2004-126909号公報記載のファイル削除方法は、記憶装置の各ファイルレベルでデータの削除処理を行うものであり、特に管理情報のみを削除する場合には復元ソフトによってデータが復元される可能性があるとともに、削除されていない未処理のファイルが残る可能性があり、データの削除方法としては万全とは言えない。また、ウインドウズ（商標）などのオペレーティングシステムを削除することなく、実体データのみの削除を行うソフトウエアもあるが、復元ソフトによるデータ漏洩の危険性が完全には払拭しきれない。
さらに、ハードディスクドライブにデータを上書きすることによってデータを削除するソフトウエアも開発されているが、コンピュータのオペレーティングシステム自体も削除されてしまうものであり、オペレーティングシステムのリカバリーディスクが存在しない場合は、オペレーティングシステムを新たに買い直す必要が生じると言う問題点があった。
【０００５】
本発明は、このような諸事情に対処するために提案されたものであって、オペレーティングシステムを削除することなく、ハードディスクドライブなどの記憶装置上のデータだけを選択的に削除することができ、復元ソフトウエアなどでデータを復旧させることが不可能な機密性に優れた記憶装置のデータ削除方法、並びに削除装置を提供することを目的とする。
或いは、オペレーティングシステム、又オペレーティングシステムの存在を前提として成立するアプリケーションソフトも含めて、ハードディスクドライブなどの記憶装置上のデータをすべて削除することが可能な記憶装置のデータ削除方法、並びに削除装置を提供することを目的とする。
【課題を解決するための手段】
【０００６】
上記目的を達成するために、請求項１記載の発明は、コンピュータにおける記憶装置のデータ削除方法であって、被削除対象である実体データが記憶されている記憶装置をデータ削除用コンピュータに接続することにより、該データ削除用コンピュータによって前記記憶装置を外部記憶装置として認識させた上で、該記憶装置をフォーマット処理した後に削除用データを上書きすることにより、実体データ並びにオペレーティングシステムを削除することを特徴とする。
【０００７】
請求項２記載の発明は、コンピュータにおける記憶装置のデータ削除方法であって、被削除対象である実体データが記憶されている記憶装置をデータ削除用コンピュータに接続することにより、該データ削除用コンピュータによって前記記憶装置を外部記憶装置として認識させ、該記憶装置におけるオペレーティングシステムが記憶されている領域以外の領域を削除処理した後に、削除用データを上書きすることにより、オペレーティングシステム以外のデータを削除することを特徴とする。
【０００８】
請求項３記載の発明は、コンピュータにおける記憶装置のデータ削除装置であって、被削除対象である記憶装置が接続される被削除対象ドライブ接続手段と、前記被削除対象の記憶装置上の実体データを削除するプログラムが格納された削除プログラム格納手段と、前記被削除対象の記憶装置の実体データの記憶領域に上書きされる削除用データが格納された削除用データ格納手段と、前記被削除対象ドライブ接続手段に接続された被削除対象の記憶装置を外部記憶装置として認識するとともに、前記削除プログラム格納手段並びに削除用データ格納手段と協働して、該記憶装置をフォーマット処理した後に、削除用データを上書きする中央処理装置とを具備したことを特徴とする。
【０００９】
請求項４記載の発明は、請求項１乃至３において、前記記憶装置は、ハードディスクドライブであることを特徴とする。
【発明の効果】
【００１０】
上述のように、請求項１乃至４記載の発明によれば、コンピュータのハードディスク等の記憶装置を再利用することができるとともに、コンピュータの売却等による個人情報など機密データの漏洩を防止することができる。
【００１１】
特に、請求項１記載の発明によれば、オペレーティングシステムも含めて、ハードディスクドライブなどの記憶装置上のデータを全体的に削除することが可能である。
【００１２】
さらに、請求項２記載の発明によれば、オペレーティングシステムを削除することなく、ハードディスクドライブなどの記憶装置上の実体データだけを選択的に削除することができる。
【発明を実施するための最良の形態】
【００１３】
以下、本発明に係る記憶装置のデータ削除方法、並びに削除装置の好適な実施形態について添付図面を参照して説明する。
図１は本発明の一実施形態に係るデータ削除装置の回路構成を示すブロック図であり、本実施形態ではコンピュータを利用してデータ削除装置を構築している。
【００１４】
図１に示されるように、本実施形態のデータ削除装置は、中央処理装置１０を中心として、被削除対象ドライブ接続手段１２と、削除プログラム格納手段１４と、削除用データ格納手段１６と備えて構成されたコンピュータ（以下、「削除用コンピュータ１」とする）である。
【００１５】
中央処理装置１０は、削除用コンピュータ１のＣＰＵ（中央演算処理装置）であり、図示していないが、ＲＯＭ（読み出し専用メモリー）、ＲＡＭ（随時読み出し書き込みメモリー）などが接続されている。中央処理装置１０には、被削除対象ドライブ接続手段１２が接続されており、この被削除対象ドライブ接続手段１２には、被削除対象であるハードディスクドライブなどの記憶装置１８が、ＵＳＢ接続など所定の接続方法により接続されるようになっている。中央処理装置１０は、被削除対象ドライブ接続手段１２に接続された被削除対象の記憶装置１８を外部記憶装置として認識するように構成され、例えば記憶装置１８を、外部接続されたＦドライブと言ったように認識する。
【００１６】
削除プログラム格納手段１４は、削除用コンピュータ１に予め内蔵されているハードディスクドライブなどであり、格納手段１４には被削除対象となる記憶装置１８上の実体データを削除するプログラムが格納されている。この削除プログラムは、記憶装置１８全体を初期化するフォーマット処理をした後に、削除用データを上書きするプログラムである。削除用データは削除用データ格納手段１６に格納されており、削除用データは音声、画像など、個人情報などの機密情報とは関係のない電子データである。なお、ハードディスクドライブに記憶されているデータには、アプリケーションソフトウエア、電子メールに関するデータ、アドレス帳、アカウント、クッキー、履歴などの個人情報に関するデータが該当する。
【００１７】
次に、前述のように構成した本実施形態のデータ削除装置の動作について、図２を参照して説明する。図２は、本実施形態のデータ削除装置のフローを示す流れ図である。同図に示されるように、まず、ステップＳ１００にて、削除しようするデータが記憶されている記憶装置１８であるハードディスクドライブをパソコンなどから取り外す。
【００１８】
次いで、ステップＳ１０１にて、図１で示したデータの削除作業を実行させる削除用コンピュータ１の被削除対象ドライブ接続手段１２に、取り外したハードディスクドライブ（記憶装置１８）をＵＳＢなど所定の方法で接続する。すると、削除用コンピュータ１は、本来コンピュータに内蔵されているハードディスクドライブを外部記憶装置として認識し、例えば外部接続されたＦドライブと言ったように認識する。そして、ステップＳ１０２において、削除プログラム格納手段１４に格納されている削除用のプログラムが動作してハードディスクドライブ全体を初期化するフォーマット処理を行った後、ステップＳ１０３に移行する。なお、被削除対象ドライブ接続手段１２へのハードディスクドライブ１８の接続方法は、ＵＳＢ接続の他、ＩＥＥＥ１３９４（ｉ−Ｌｉｎｋ、ファイヤーワイヤー）、ＩＤＥ接続等、各種の接続方法が含まれる。
【００１９】
ステップＳ１０３では削除プログラムに従って、削除プログラム格納手段並びに削除用データ格納手段と協働して、フォーマット処理されたハードディスクドライブの全領域に、削除用データ格納手段１６に格納されている音声、画像などの無意味な削除用データを上書きする動作を行う。ステップＳ１０４では、上書きされた削除用データをフォーマット処理してデータの削除作業を終了する。この削除用データのフォーマット処理を施すことで、削除用データについても実体データとして残存しないこととなり、データの削除が完全となる。
【００２０】
なお、図２で示されるフローは、オペレーティングシステムを含めてハードディスクドライブに記憶されているすべてのデータを削除する場合であり、ステップＳ１０５において、データが削除されたハードディスクドライブは元のコンピュータに戻されて（換装されて）、オペレーティングシステムが再びインストールされる。
【００２１】
図３は、オペレーティングシステムを残した状態でハードディスクドライブに記憶されている実体データを削除する場合のフローを示す流れ図である。ステップＳ２００からステップＳ２０１までは、前述した図２の場合と共通しているため、詳細な説明は省略する。
【００２２】
まず、ステップＳ２０２において、通常の削除プログラムに従ってハードディスクドライブ上のオペレーティングシステム以外の実体データを削除処理する。次いで、ステップＳ２０３にて、ハードディスクドライブ上のオペレーティングシステムの記憶領域以外の全領域に、削除用データを上書きする処理を行う。削除用データは、図２の場合と同様に、削除用データ格納手段１６に格納されている音声、画像などの無意味なデータである。そして、ステップＳ２０４において、上書きされた削除用データのフォーマット処理を行うことで一連の削除処理が終了し、元のコンピュータにハードディスクドライブを換装するステップＳ２０５に移行する。
【００２３】
以上説明したように、本実施形態の記憶装置のデータ削除方法、並びに削除装置によれば、コンピュータに内蔵されているハードディスクドライブ等の記憶装置を取り出し、記憶されているデータの削除処理を、電子データを上書きすることによって行うようにしているので、個人情報などのデータを完全に削除することが可能となる。また、オペレーティングシステムの存在を前提として成立するアプリケーションソフトも含めて、ハードディスクドライブの電子データをすべて削除することが可能である。
また、削除処理の際には、記憶装置上のオペレーティングシステムを残す、残さないの選択を行うことができ、例えばオペレーティングシステムのリカバリーディスクが存在しない場合でもオペレーティングシステムを新たに買い直すと言った必要がなく、使い勝手が向上している。
【００２４】
なお、本実施形態では、データの削除を行う記憶装置として、ハードディスクドライブを対象としているが、これに限らず、各種の記憶装置のデータ削除に利用することが可能である。
【産業上の利用可能性】
【００２５】
以上説明したように、本発明によれば、オペレーティングシステムを削除することなく、ハードディスクドライブなどの記憶装置上のデータを選択的に削除することができ、機密性に優れると言う効果がある。
また、オペレーティングシステムも含めて、ハードディスクドライブなどの記憶装置上のデータをすべて削除することも可能であり、使用状況などに応じて、最適なデータの削除方法を選択することができる。
【図面の簡単な説明】
【００２６】
【図１】本発明の一実施形態に係るデータ削除装置の回路構成を示すブロック図である。
【図２】同じく、本発明の一実施形態に係るデータ削除装置のフローを示す流れ図である。
【図３】同じく、本発明の一実施形態に係るデータ削除装置のフローを示し、特にオペレーティングシステムを残した状態でハードディスクドライブに記憶されている実体データを削除する場合のフローを示す流れ図である。
【符号の説明】
【００２７】
１    削除用コンピュータ
１０  中央処理装置
１２  被削除対象ドライブ接続手段
１４  削除プログラム格納手段
１６  削除用データ格納手段
１８  記憶装置
【図１】
2006172337.tif 000003
【図２】
2006172337.tif 000004
【図３】
2006172337.tif 000005